(57)【要約】【課題】画像形成装置のスタンバイ時及び動作中の消費電力を低減する。【解決手段】画像形成装置は、主電源を制御し、所定の動作モードへの移行要因を検出すると移行要因を通知する電源制御手段と、通知された移行要因に基づいて起動を要するデバイスに対してのみ電源を供給する電源供給手段と、を含む。【選択図】図１
2013005333.tif 000002
【特許請求の範囲】
【請求項１】
主電源を制御し、所定の動作モードへの移行要因を検出すると前記移行要因を通知する電源制御手段と、
前記通知された前記移行要因に基づいて起動を要するデバイスに対してのみ電源を供給する電源供給手段と、
を含むことを特徴とする画像形成装置。
【請求項２】
前記電源制御手段は、前記移行要因を検出した後に前記主電源をオンし、前記移行要因を通知することを特徴とする請求項１記載の画像形成装置。
【請求項３】
前記電源制御手段は、前記所定の動作モードが終了した後に、前記主電源をオフすることを特徴とする請求項１記載の画像形成装置。
【請求項４】
前記所定の動作モードは、ファクシミリの送受信動作であることを特徴とする請求項１から３の何れか１項に記載の画像形成装置。
【請求項５】
前記所定の動作モードは、ハンドセットのオフフック動作であることを特徴とする請求項１から３の何れか１項に記載の画像形成装置。
【請求項６】
前記所定の動作モードは、電話回線からの着信動作であることを特徴とする請求項１から３の何れか１項に記載の画像形成装置。
【請求項７】
前記電源制御手段は、前記移行要因を検出する以前はスリープモード状態で動作し、前記移行要因を検出した後はスタンバイモード状態で動作し、前記所定の動作モードが終了した後は再びスリープモード状態で動作することを特徴とする請求項１記載の画像形成装置。
【請求項８】
前記電源制御手段は、前記スタンバイモード状態で動作するためのバックアップ電源と、前記バックアップ電源を充電するための充電手段と、前記バックアップ電源の電圧を検出する検出手段と、をさらに含むことを特徴とする請求項７記載の画像形成装置。
【請求項９】
前記電源制御手段は、前記バックアップ電源の電圧が所定の電圧以下になったとき、前記充電手段により前記バックアップ電源を充電し、前記バックアップ電源の充電が完了したときは、前記充電手段による充電を終了することを特徴とする請求項８記載の画像形成装置。
【請求項１０】
電源制御手段が、主電源を制御し、所定の動作モードへの移行要因を検出すると前記移行要因を通知する工程と、
電源供給手段が、前記通知する工程により通知された前記移行要因に基づいて起動を要するデバイスに対してのみ電源を供給する工程と、
を含むことを特徴とする画像形成方法。
【発明の詳細な説明】
【技術分野】
【０００１】
本発明は、画像形成装置及び画像形成方法に関する。
【背景技術】
【０００２】
従来のファクシミリ装置においては、公衆回線から呼出信号があった場合、常時受信可能な状態でなければならないため、スタンバイ時あるいは動作中において、常時電源を立ち上げた状態を保持している。また、スタンバイ時の消費電力を低減することを目的として、主制御部とは別に、電源を制御する電源制御部を設け、スタンバイ時には電源制御部以外の主電源への電源供給を停止し、電源制御部のみをスタンバイ状態として、動作時にのみ主電源を立ち上げる技術が既に知られている。
【０００３】
特許文献１には、スタンバイ時の電力を抑えつつ、簡単な構成で主電源の起動要因を監視する目的で、主電源、主電源制御部、二次電池、太陽電池等を備え、主電源制御部のマイコン（マイクロコンピュータ）は、スタンバイ状態にてスリープモードにあり、１秒毎のタイマー割込みにより、二次電池の放電検出、キー検出、原稿検出、送受話器（ハンドセット）のオフフック検出、呼出信号の検出を行い、検出結果に応じて主電源を起動する構成、すなわち、電源制御部にて復帰要因を検出して主電源を起動する技術が開示されている。
【発明の概要】
【発明が解決しようとする課題】
【０００４】
しかしながら、従来の技術においては、電源制御部にて復帰要因が検出されると、まず主電源を立ち上げ、主制御部は、一様の起動シーケンスを経た後に、電源制御部からの通知される復帰要因に応じて処理を実行していた。そうすると、主電源が起動される度毎にすべてのモジュールの初期化処理（イニシャライズ）を実行することになるため、復帰要因によっては、本来必要とされないモジュールに対する初期化処理も実行されていた。すなわち、すべてのモジュールの初期化処理を実行することにより、結果的に主電源がオン状態にある時間が長くなるため、消費電力量（ＴＥＣ（Typical Electricity Consumption）値等）に影響してしまうという問題があった。
【０００５】
また、特許文献１に記載された技術では、電源を投入されて起動する主制御部は、起動する度毎に、一様の起動シーケンスを経ており、その際にすべてのモジュールの初期化処理を実行しているため、結果的に主電源がオン状態にある時間が長くなり、消費電力量（ＴＥＣ値等）が大きくなってしまうという問題がある。
【０００６】
そこで本発明は、上記問題点に鑑みてなされたものであって、起動時の復帰要因に応じて必要最低限の処理のみを実行することにより、電源がオン状態にある時間を短くすること、また必要最低限のデバイスにのみ電源を供給することにより、スタンバイ時及び動作中の消費電力を低減することができる画像形成装置及び画像形成方法を提供することを目的とする。
【課題を解決するための手段】
【０００７】
上記課題を解決するため、請求項１に記載の本発明における画像形成装置は、主電源を制御し、所定の動作モードへの移行要因を検出すると前記移行要因を通知する電源制御手段と、前記通知された前記移行要因に基づいて起動を要するデバイスに対してのみ電源を供給する電源供給手段と、を含むことを特徴とする。
【０００８】
また、本発明における画像形成装置は、請求項１に記載の画像形成装置において、電源制御手段は、移行要因を検出した後に主電源をオンし、移行要因を通知することを特徴とする。
【０００９】
さらに、本発明における画像形成装置は、請求項１記載の画像形成装置において、電源制御手段は、所定の動作モードが終了した後に、主電源をオフすることを特徴とする。
【００１０】
また、本発明における画像形成装置は、請求項１から３の何れか１項に記載の画像形成装置において、所定の動作モードは、ファクシミリの送受信動作であることを特徴とする。
【００１１】
そして、本発明における画像形成装置は、請求項１から３の何れか１項に記載の画像形成装置において、所定の動作モードは、ハンドセットのオフフック動作であることを特徴とする。
【００１２】
また、本発明における画像形成装置は、請求項１から３の何れか１項に記載の画像形成装置において、所定の動作モードは、電話回線からの着信動作であることを特徴とする。
【００１３】
さらに、本発明における画像形成装置は、請求項１記載の画像形成装置において、電源制御手段は、移行要因を検出する以前はスリープモード状態で動作し、移行要因を検出した後はスタンバイモード状態で動作し、所定の動作モードが終了した後は再びスリープモード状態で動作することを特徴とする。
【００１４】
また、本発明における画像形成装置は、請求項７記載の画像形成装置において、電源制御手段は、スタンバイモード状態で動作するためのバックアップ電源と、バックアップ電源を充電するための充電手段と、バックアップ電源の電圧を検出する検出手段と、をさらに含むことを特徴とする。
【００１５】
そして、本発明における画像形成装置は、請求項８に記載の画像形成装置において、電源制御手段）は、バックアップ電源の電圧が所定の電圧以下になったとき、充電手段によりバックアップ電源）を充電し、バックアップ電源の充電が完了したときは、充電手段による充電を終了することを特徴とする。
【００１６】
また、上記課題を解決するため、請求項１０に記載の本発明における画像形成方法は、電源制御手段が、主電源を制御し、所定の動作モードへの移行要因を検出すると前記移行要因を通知する工程と、電源供給手段が、前記通知する工程により通知された前記移行要因に基づいて起動を要するデバイスに対してのみ電源を供給する工程と、を含むことを特徴とする。
【発明の効果】
【００１７】
本発明によれば、スタンバイモードから起動する際の各動作モードへの移行要因を確認し、この移行要因に応じて、必要最低限の処理を実行することにより、電源がオン状態にある時間を極力短くでき、各動作モードにおいて必要とされるデバイスに対してのみ電源を供給することにより、スタンバイモード時及び各動作モード中における消費電力を低減できる画像形成装置及び画像形成方法を得ることができる。
【図面の簡単な説明】
【００１８】
【図１】本発明の実施形態における画像形成装置の全体構成を示すブロック図である。
【図２】本発明の実施形態における画像形成装置の電源制御部の構成を示す回路図である。
【図３】本発明の実施形態における画像形成装置の網制御ユニット（ＮＣＵ：Network Control Unit）部の構成を示す回路図である。
【図４】本発明の実施形態における画像形成装置のＡＣ（Alternating Current）電源投入時からスタンバイ状態にあるときの処理手順を示すフローチャート図である。
【図５】本発明の実施形態における画像形成装置の呼出信号検出時から必要最低限の処理を実行するための処理手順を示すフローチャート図である。
【図６】本発明の実施形態における画像形成装置のハンドセットのオフフック検出時から必要最低限の処理を実行するための処理手順を示すフローチャート図である。
【図７】本発明の実施形態における画像形成装置のファクシミリの指定送信時刻検出時から必要最低限の処理を実行するための処理手順を示すフローチャート図である。
【図８】本発明の実施形態における画像形成装置の二次電池を充電する処理手順を示すフローチャート図である。
【図９】本発明の実施形態における画像形成装置のスリープモードとスタンバイモードの処理手順を示すフローチャート図である。
【発明を実施するための形態】
【００１９】
次に、本発明を実施するための形態について図面を参照して詳細に説明する。なお、各図中、同一又は相当する部分には同一の符号を付しており、その重複説明は適宜に簡略化乃至省略する。本発明は、電源がオン状態にある時間を短くする、また、電源がオン状態にある間も各動作モードにおいて必要なデバイスのみに電源を供給することにより、スタンバイモード時及び各動作モード中の消費電力を低減することが特徴となっている。
【００２０】
本発明の実施の形態を、図１を用いて説明する。図１は、本発明の実施形態における画像形成装置の全体構成を示すブロック図である。図１において、画像形成装置１００は、ファクシミリの送信／受信を制御するＦＣＵ（Fax Control Unit）部1を備え、ＦＣＵ部１は、画像形成装置１００を制御するＣＴＬ（Controller）部１２と接続される。
【００２１】
また、ＣＴＬ部１２は、操作部１３及び読み取り部１４と接続されている。さらに、ＣＴＬ部１２は、図示しないエンジン制御部とも接続される。エンジン制御部とは、画像形成部であり、電子写真やインクジェットの技術を用いて紙等に画像を印刷するものである。また、ＣＴＬ部１２においては、ＮＩＣ（Network Interface Card）、ＵＳＢ（Universal Serial Bus）インタフェース等を介して受信したプリントデータをも同様に印刷出力することができる。
【００２２】
次にＦＣＵ部１の構成について説明する。ＦＣＵ部１は、マイクロプロセッサ等から構成される主制御部（ＣＰＵ：Central Processing Unit）２が、ＲＯＭ（Read Only Memory）６に記憶されているプログラムにしたがって、モデム部３、網制御ユニット（ＮＣＵ：Network Control Unit）部４、ＲＡＭ（Random Access Memory）７、記録部８、電池充電回路９、及び不揮発性ＲＡＭ１０を制御する。
【００２３】
ＲＡＭ７には、読み取り部１４によって読み取られた２値化画像データ或いは記録部８に記録されている２値化画像データが格納され、この２値化画像データは、モデム部３によって変調され、当該変調された信号がＮＣＵ部４を介して電話回線５に出力される。また、ＲＡＭ７は、電話回線５から入力されたアナログ波形信号をＮＣＵ部４及びモデム部３を介して復調し、その復調された２値化データを格納する。
【００２４】
不揮発性ＲＡＭ１０は、ＦＣＵ部１の電源が遮断された状態であっても、保存しておくべきデータ（例えば、短縮ダイヤル番号等）を確実に格納する。また、読み取り部１４はＤＭＡ（Direct Memory Access）コントローラ、画像処理ＩＣ（Integrated Circuit）、イメージセンサ、ＣＭＯＳ（Complementary Metal Oxide Semiconductor）ロジックＩＣ等から構成され、コンタクトセンサ（ＣＳ：Contact Sensor）を利用して読み取ったデータを２値化し、その２値化データを順次ＲＡＭ７に送る。
【００２５】
記録部８は、ＤＭＡコントローラ、インクジェット記録装置、ＣＭＯＳロジックＩＣ等から構成され、主制御部（ＣＰＵ）２の制御によってＲＡＭ７に格納されている記録データを取り出し、ハードコピーとして出力する。モデム部３はＧ３、Ｇ２モデムとこれらのモデムに接続されたクロック発生回路等から構成され、主制御部（ＣＰＵ）２の制御に基づいてＲＡＭ７に格納されている送信データを変調し、ＮＣＵ部４を介して電話回線５に出力する。
【００２６】
また、モデム部３は、電話回線５から入力されるアナログ信号をＮＣＵ４部を介して受信し、その信号を復調して２値化データをＲＡＭ７に格納する。ＮＣＵ部４は、主制御部（ＣＰＵ）の制御によりモデム３あるいは電話機１５のいずれかに切り替えて電話回線５を接続する。さらに、ＮＣＵ部４は呼出信号を検出する手段を有し、呼出信号が検出されたときは着信信号を電源制御部１１に送出する。
【００２７】
電話機１５はＦＣＵ部１に外付けで接続される。電話機１５は、具体的には送受話器（ハンドセット）、スピーチネットワーク、ダイヤラ、リンガー、テンキー、ワンタッチキー等から構成される。操作部１３は画像送信、受信等をスタートさせるキー、送受信時におけるファイン、標準、自動受信等の操作モードを指定するモード選択キー、ダイヤリング用のテンキー乃至ワンタッチキー等から構成される。
【００２８】
電源制御部１１は、ＦＣＵ部１の各部への通電を制御するもので、ワンチップマイクロコンピュータ、コンデンサタイプの二次電池等から構成され、この二次電池から供給される電力だけでもＦＣＵ部１の駆動が可能である。二次電池は電池充電回路９にて充電される。電源制御部１１はＮＣＵ部４からの着信信号、電話機１５のオフフック信号、及び二次電池の電池電圧の低下等の所定の動作モードへの移行要因を検知すると、起動信号を電源部１６に送出する。
【００２９】
電源部１６はスイッチング電源であり、外部からスイッチング電源のオン、オフ制御が可能であり、電源制御部１１からの起動信号、停止信号によってそれぞれ電力を供給したり、電力を停止したりする。
【００３０】
次に、電源制御部１１の構成について説明する。図２は、本発明の実施形態における画像形成装置の電源制御部の構成を示す回路図である。電源制御部１１には、ワンチップマイクロコンピュータ（以下、マイコンという）１７が設けられており、このマイコン１７は、低消費電力で動作可能な状態である動作モード（スタンバイモード）と、プログラムの実行を停止しておき、割り込み入力だけを受け付ける状態であるスリープモードとを有し、消費電力が極めて少ない状態で待機することができる。
【００３１】
マイコン１７に対する電源は、ＤＣ（Direct Current）／ＤＣコンバータ１８を介して２系統に接続される。なお、ＤＣ／ＤＣコンバータ１８は、入力電圧が出力電圧よりも高いときはシリーズレギュレータとして動作し、入力電圧が出力電圧より低いときは昇圧型スイッチングレギュレータ及びシリーズレギュレータとして動作する。そして、２系統の電源の１つは主電源＋５Ｖであり、他の１つは二次電池２１による供給である。
【００３２】
マイコン１７には、通常の動作モードにおいてはＡＣ（Alternating Current）電源から生成される主電源＋５Ｖにより電源供給が行われる一方、スタンバイモードにおいては、ＡＣ電源から生成される主電源＋５Ｖはオフされるため、二次電池２１より電源供給が行われる。
【００３３】
二次電池２１の放電時の電圧は、電圧検出回路２０によって検出され、その電圧が１．２Ｖを超える場合には、電圧検出回路２０の出力ＯＵＴ端子がＨレベルとなり、１．２Ｖ以下の場合にはＬレベルとなる。電圧検出回路２０の出力ＯＵＴ端子はマイコン１７のＢＡＴ  ＤＥＴ＿Ｎ端子に接続されている。
【００３４】
二次電池２１の充電はレギュレータ１９によって行われる。二次電池２１を充電するときは、レギュレータ１９のＥＮ端子をＨレベルにすることにより、レギュレータ１９のＯＵＴ端子から出力させる。充電時にのみＥＮ端子をＨレベルとすることで、不要な電力の消費を低減することができる。
【００３５】
マイコン１７はシリアルインタフェースＳＩ／Ｏ（Input／Output）を通じて主制御部（ＣＰＵ）２とデータのやり取りを行うことができ、画像形成装置１００の所定の動作モードへの移行要因は、マイコン１７からＣＰＵ２に対して、このシリアルインタフェースＳＩ／Ｏを介して通知される。そして、主制御部（ＣＰＵ）２は、通知された移行要因に基づいて起動が必要とされるデバイスに対してのみ電源を供給する電源供給手段としての役割を有する。また、マイコン１７は、画像形成装置１００の所定の動作モードへの移行要因を検出する入力端子（ＲＩＮＧ  ＤＥＴ＿Ｎ、ＯＦＦＨＯＯＫ＿Ｎ、ＴＩＭＥＲ＿Ｎ）を有する。
【００３６】
ＲＩＮＧ  ＤＥＴ＿Ｎ端子は、呼出信号を受信したときにＬレベルとなり、ＯＦＦＨＯＯＫ＿Ｎ端子は、電話機１５をオフフックしたときにＬレベルとなり、ＴＩＭＥＲ＿Ｎ端子は、画像形成装置（ファクシミリ）１００を時刻指定送信設定とした場合、当該指定時刻となったときにＬレベルとなる。なお、時刻は、電池駆動によるＲＴＣ（Real Time Clock）（図示せず）により取得する。
【００３７】
次に、網制御ユニット（ＮＣＵ）部４の構成について説明する。図３は、本発明の実施形態における画像形成装置の網制御ユニット（ＮＣＵ）部の構成を示す回路図である。図３において、呼出信号を検出するためのフォトカプラ２２は、電話回線５を通じて呼出信号を受信すると、着信信号（Ｌレベル）がマイコン１７のＲＩＮＧ  ＤＥＴ＿Ｎ端子に入力される。
【００３８】
マイコン１７が割り込み入力だけを受け付ける状態であるスリープモード状態で動作している時に呼出信号を受信すると、着信信号（Ｌレベル）がマイコン１７のＲＩＮＧ  ＤＥＴ＿Ｎ端子に入力され、マイコン１７はスタンバイモード状態へ移行すると共に、マイコン１７がＬレベル入力を認識し、主電源＋５Ｖをオンする。着信動作モードへの移行する旨の情報はシリアルインタフェースＳＩ／Ｏを介して主制御部（ＣＰＵ）２に送信され、主制御部（ＣＰＵ）２は、起動時にまずその情報を取得し、その情報に応じて制御を変更する。
【００３９】
電話機１５のオフフックを検出するためのフォトカプラ２３は、電話機１５がオフフックされると、Ｌレベルがマイコン１７のＯＦＦＨＯＯＫ＿Ｎ端子に入力される。マイコン１７が割り込み入力だけを受け付ける状態であるスリープモード状態で動作している時にオフフックされると、オフフック検出信号（Ｌレベル）がマイコン１７のＯＦＦＨＯＯＫ＿Ｎ端子に入力され、マイコン１７はスタンバイモード状態へ移行すると共に、マイコン１７がＬレベル入力を認識し、主電源＋５Ｖをオンする。オフフック動作モードへの移行する旨の情報はシリアルインタフェースＳＩ／Ｏを介して主制御部（ＣＰＵ）２に送信され、主制御部（ＣＰＵ）２は、起動時にまずその情報を取得し、その情報に応じて制御を変更する。
【００４０】
次に、本発明の実施形態における画像形成装置１００に対してＡＣ電源が投入された後の動作について説明する。図４は、本発明の実施形態における画像形成装置のＡＣ（Alternating Current）電源投入時からスタンバイ状態にあるときの処理手順を示すフローチャート図である。
【００４１】
まず、ステップ（以下、「Ｓ」という。）４０においてＡＣ電源が投入されると、電源制御部１１に電源が入力される。そうすると、電源制御部１１のマイコン１７はイニシャライズを行い（Ｓ４１）、所定の動作モードへの移行要因を通知するための割り込み信号の検出を開始する（Ｓ４２）。動作モードの移行要因を通知するための割り込み信号を検出すると（Ｓ４３：Ｙｅｓ）、ＣＰＵ２の主電源＋５Ｖをオンする（Ｓ４４）。一方、割り込み信号を検出しない場合には（Ｓ４３：Ｎｏ）、検出するまでＳ４３の処理を繰り返す。主制御部（ＣＰＵ）２はイニシャルライズを行い（Ｓ４５）、マイコン１７からシリアルインタフェースＳＩ／Ｏを介して動作モードの移行要因を通知してもらう（Ｓ４６）。
【００４２】
主制御部（ＣＰＵ）２は、通知された動作モードへ移行するための必要な起動プログラムをブートして、最低限必要な処理を実行する（Ｓ４７）。このとき、画像形成装置１００を構成する各ブロックのうち、電源が供給されるデバイスは、当該動作モードを実行するために最低限必要とされるデバイスに限定される。全ての処理が完了する（Ｓ４８）と、直ちにマイコン１７は主電源＋５Ｖをオフする（Ｓ４９）。
【００４３】
次に、本発明の実施形態における画像形成装置１００が、図４におけるＳ４３の復帰要因を検出する具体例として、呼出信号を検出したときの動作について説明する。図５は、本発明の実施形態における画像形成装置の呼出信号検出時から必要最低限の処理を実行するための処理手順を示すフローチャート図である。
【００４４】
図５において、画像形成装置１００がスタンバイ状態にあるとき、ＮＣＵ部４において、呼出信号（ＲＩＮＧ  ＤＥＴ＿Ｎ）（図３）を受信すると、この信号はＬレベルとしてマイコン１７のＲＩＮＧ  ＤＥＴ＿Ｎ端子に入力される。マイコン１７は、ＬレベルがＲＩＮＧ  ＤＥＴ＿Ｎ端子に入力されたことを検出すると（Ｓ５０：Ｙｅｓ）、ＣＰＵ２の主電源＋５Ｖをオンする（Ｓ５１）。Ｌレベルを検出しない場合には（Ｓ５０：Ｎｏ）、検出するまでＳ５０の処理を繰り返す。
【００４５】
ＣＰＵ２はイニシャライズを行い（Ｓ５２）、イニシャライズ完了後に、マイコン１７から着信動作モードへ移行する旨の情報を通知してもらう（Ｓ５３）。ＣＰＵ２は、移行する所定の動作モードが呼出信号（着信動作）であることを認識すると、ファクシミリ受信に必要なデバイス（ＲＡＭ７、モデム３、ＮＣＵ部４）に対して通電及び初期化処理を行い、ファクシミリ受信を実行する（Ｓ５４）。通電する各デバイスの切り替えは、ＦＥＴ（Field Effect Transistor）等のスイッチにより行うことができる。ファクシミリの受信が完了する（Ｓ５５）と、マイコン１７は主電源＋５Ｖをオフし、マイコン１７は、二次電池２１より電源供給が行われるスタンバイモードに移行する（Ｓ５６）。
【００４６】
次に、本発明の実施形態における画像形成装置１００が、図４におけるＳ４３の復帰要因を検出する具体例として、オフフックを検出したときの動作について説明する。図６は、本発明の実施形態における画像形成装置のハンドセットのオフフック検出時から必要最低限の処理を実行するための処理手順を示すフローチャート図である。図６において、画像形成装置１００がスタンバイ状態にあるとき、ハンドセットがオフフックされることにより、ＮＣＵ部４においてオフフック信号（ＯＦＦＨＯＯＫ＿Ｎ）（図３）を受信すると、この信号はＬレベルとしてマイコン１７のＯＦＦＨＯＯＫ＿Ｎ端子に入力される。マイコン１７は、ＬレベルがＯＦＦＨＯＯＫ＿Ｎ端子に入力されたことを検出すると（Ｓ６０：Ｙｅｓ）、ＣＰＵ２の主電源＋５Ｖをオンする（Ｓ６１）。Ｌレベルを検出しない場合には（Ｓ６０：Ｎｏ）、検出するまでＳ６０の処理を繰り返す。
【００４７】
ＣＰＵ２は、イニシャライズを行い（Ｓ６２）、イニシャライズ完了後に、マイコン１７からオフフック動作モードへ移行する旨の情報を通知してもらう（Ｓ６３）。ＣＰＵ２は、移行する所定の動作モードが電話機１５のオフフック動作であることを認識すると、通話に必要なデバイス（ＣＴＬ部１２、操作部１３等）に対して通電を行い復帰させる（Ｓ６４）。オフフック通話の場合、操作部１３画面上に電話のプッシュキー等の専用画面が表示される（Ｓ６５）。操作部１３はＣＴＬ部１２からの復帰信号により復帰する。そして電話をかけ（Ｓ６６）、通話が終了すると回線が切断され（Ｓ６７）、マイコン１７は主電源＋５Ｖをオフし、マイコン１７は、二次電池２１より電源供給が行われるスタンバイモードに移行する（Ｓ６８）。
【００４８】
次に、本発明の実施形態における画像形成装置１００が、図４におけるＳ４３の復帰要因を検出する具体例として、タイマーからの復帰要求を検出したときの動作について説明する。図７は、本発明の実施形態における画像形成装置のファクシミリの指定送信時刻検出時から必要最低限の処理を実行するための処理手順を示すフローチャート図である。図７において、予め時刻指定送信設定がなされた画像形成装置１００がスタンバイ状態にあるとき、予め設定された指定時刻になると、ＲＴＣは指定時刻の到来を通知する復帰要求（ＴＩＭＥＲ＿Ｎ）信号を出力し、この信号はＬレベルとしてマイコン１７のＴＩＭＥＲ＿Ｎ端子に入力される。マイコン１７は、ＬレベルがＴＩＭＥＲ＿Ｎ端子に入力されたことを検出すると（Ｓ７０：Ｙｅｓ）、ＣＰＵ２の主電源＋５Ｖをオンする（Ｓ７１）。Ｌレベルを検出しない場合には（Ｓ７０：Ｎｏ）、検出するまでＳ７０の処理を繰り返す。
【００４９】
ＣＰＵ２は、イニシャライズを行い（Ｓ７２）、イニシャライズ完了後に、マイコン１７からファクシミリの時刻指定送信設定動作モードへ移行する旨の情報を通知してもらう（Ｓ７３）。ＣＰＵ２は、移行する所定の動作モードが時刻指定送信であることを認識すると、ファクシミリを送信するために必要なデバイス（ＲＡＭ７、モデム３、ＮＣＵ部４）に対して通電及び初期化処理を行い（Ｓ７４）、ファクシミリ送信処理を行う（Ｓ７５）。通電する各デバイスの切り替えは、ＦＥＴ等のスイッチにより行うことができる。ファクシミリ送信が終了すると回線が切断され（Ｓ７６）、マイコン１７は主電源＋５Ｖをオフし、マイコン１７は、二次電池２１より電源供給が行われるスタンバイモードに移行する（Ｓ７７）。
【００５０】
次に、本発明の実施形態における画像形成装置１００が、図４におけるＳ４３の復帰要因を検出する具体例として、二次電池の電圧が所定電圧以下になったことを検出したときの動作について説明する。図８は、本発明の実施形態における画像形成装置の二次電池を充電する処理手順を示すフローチャート図である。
【００５１】
二次電池２１の電池電圧が低下し、電圧検出回路２０によって所定の電圧値以下であることが検出されると（Ｓ８０：Ｙｅｓ）、主電源＋５Ｖをオンすることなく充電用電源（レギュレータ１９）（図２）をオンし（Ｓ８１）、二次電池２１の充電を開始する（Ｓ８２）。電圧検出回路２０によって二次電池２１の電池電圧が所定の電圧値を超えていると検出された場合には（Ｓ８０：Ｎｏ）、所定の電圧値以下になるまでＳ８０の処理を繰り返す。
【００５２】
充電開始後、電圧検出回路２０が二次電池２１の電池電圧を検出することによって充電が完了したか否かが判断され（Ｓ８３）、充電が完了したと判断されると（Ｓ８３：Ｙｅｓ）、電源制御部１１のマイコン１７は充電用電源（レギュレータ１９）（図２）をオフし（Ｓ８４）、充電が完了していないと判断されると（Ｓ８３：Ｎｏ）、充電が完了するまでＳ８３の処理を繰り返す。
【００５３】
次に、本発明の実施形態における画像形成装置１００が、図４におけるＳ４３の復帰要因を検出する具体例として、スリープモードからスタンバイモードへの移行を検出したときの動作について説明する。図９は、本発明の実施形態における画像形成装置のスリープモードとスタンバイモードの処理手順を示すフローチャート図である。図９において、電源制御部１１のマイコン１７は、所定の動作モードへの移行要因が検出されない間（Ｓ９０：Ｎｏ）は、プログラムの実行を停止したスリープモード状態にあり、所定の動作モードへの移行要因を検出すると（Ｓ９０：Ｙｅｓ）、スリープモード状態からスタンバイモード状態へ移行する（Ｓ９１）。
【００５４】
その後、主電源＋５Ｖがオン（Ｓ９２）されると、ＣＰＵ２はイニシャルライズを行い（Ｓ９３）、マイコン１７からシリアルインタフェースＳＩ／Ｏを介して所定の動作モードへの移行要因を通知してもらう（Ｓ９４）。その後、全ての処理が完了すると（Ｓ９５）、主電源＋５Ｖがオフされ（Ｓ９６）、マイコン１７はスタンバイモード状態からスリープモード状態へ移行する（Ｓ９７）。このように、所定の動作モードへの移行要因が検出されない間はスリープモード状態を維持することにより、より一層消費電力を低減することができる。
【００５５】
以上説明してきたように、本発明によれば、スタンバイモードから起動する各動作モードへ移行する要因を確認し、移行する各動作モードに応じて必要最低限の処理のみを実行することにより、電源がオン状態にある時間を短くすること、及び、各動作モードにおいて必要とされるデバイスに対してのみ電源を供給することにより、スタンバイモード時及び各動作モード中における消費電力を低減することができる画像形成装置及び画像形成方法が得られるのである。
【００５６】
以上、本発明の好適な実施の形態により本発明を説明した。ここでは特定の具体例を示して本発明を説明したが、特許請求の範囲に定義された本発明の広範囲な趣旨及び範囲から逸脱することなく、これら具体例に様々な修正及び変更が可能である。
【符号の説明】
【００５７】
１    ＦＣＵ（Fax Control Unit）部
１０    不揮発性ＲＡＭ（Random Access Memory）
１１    電源制御部（マイコン）
１２    ＣＴＬ（Controller）部
１３    操作部
１４    読み取り部
１５    電話機
１６    電源部
１７    マイコン
１８    ＤＣ／ＤＣコンバータ
１９    レギュレータ
１００    画像形成装置（ファクシミリ）
２    主制御部（ＣＰＵ：Central Processing Unit）
２０    電圧検出回路
２１    二次電池
２２、２３    フォトカプラ
３    モデム部
４    網制御ユニット部（ＮＣＵ：Network Control Unit）
５    電話回線
６    ＲＯＭ（Read Only Memory）
７    ＲＡＭ
８    記録部
９    電池充電回路
【先行技術文献】
【特許文献】
【００５８】
【特許文献１】特許第３５９５８０６号公報
【図１】
2013005333.tif 000003
【図２】
2013005333.tif 000004
【図３】
2013005333.tif 000005
【図４】
2013005333.tif 000006
【図５】
2013005333.tif 000007
【図６】
2013005333.tif 000008
【図７】
2013005333.tif 000009
【図８】
2013005333.tif 000010
【図９】
2013005333.tif 000011